(57)【要約】【課題】家庭菜園のように多数種類の種子を少量だけ蒔くという需要に適し、容易にシーダーテープを製造できる装置を提供する。【解決手段】種子９によって最適な所定の間隔で所定量となるように、多数のユニット２３から、最適な数と大きさの穴３７が設けられたユニット２３を選択し、これらのユニット２３を回転体１１の凹部２５へ所定の間隔で嵌合する。そして、巻取りリール１５を回転させれば、引っ張られたテープ５は、巻出しリール７から巻出され、上側の粘着面２１に、回転体１１からのユニット２３から種子９が供給され、この粘着面２１が半分に折り合わされて取る巻取りリール１５に巻き取られる。【選択図】図１
2012235724.tif 000002
【特許請求の範囲】
【請求項１】
土壌中で分解可能で片面に粘着面を有するテープを前記粘着面を上側にして巻出す巻出しリールと、この巻出されたテープの前記粘着面に下周面が近接しながら縦に回転し種子を供給する円筒状の回転体と、この種子が供給された後の前記テープを案内し前記粘着面の幅方向で半分に折り合わせる折合わせ具と、この折り合わせられたテープを巻き取る巻取りリールと、を備え、前記回転体は、周面に設けられた周方向へ配列された複数の同形の凹部と、これら凹部に嵌合する同形の嵌合部を有する多数のユニットと、これらユニットが構成する周面部に設けられ前記種子又は／及び固形肥料を受取り供給するための穴であって前記ユニットにより異なる数と大きさの穴と、この穴へ前記種子又は／及び前記固形肥料を補充するために前記回転体の上方に近接して設けられたホッパーと、を有することを特徴とするシーダーテープ製造装置。
【請求項２】
前記ホッパーは、前記種子及び前記固形肥料を補充するため、前記テープの幅方向に複数の補充口を有することを特徴とする請求項１に記載のシーダーテープ製造装置。 
【発明の詳細な説明】
【技術分野】
【０００１】
この発明は、シーダーテープを製造するための装置の構造に関する。
【背景技術】
【０００２】
シーダーテープは、土壌中で分解可能なテープの長手方向に、所定の間隔で、所定量の種子が保持されたもので、種子によって異なる最適の間隔や量で、土壌への種蒔きが可能になる。
下記特許文献１には、主テープの上に所定の間隔で、所定量の種子が供給された後に、２枚のテープによって上下から挟み込まれてシーダーテープが製造される技術が記載されている。
また、近年、家庭菜園へシーダーテープを利用する人々も現われている。
【先行技術文献】
【特許文献】
【０００３】
【特許文献１】特開平11-192005
【発明の概要】
【発明が解決しようとする課題】
【０００４】
しかしながら、特許文献１のようにテープの上に所定の間隔で所定量の種子を供給するための供給装置は、一般には、一定の間隔で供給口を開閉するアクチュエーターが必要であり、このアクチュエーターは通常は電気的に制御されたものになる。このような供給装置は高価であり、家庭菜園に利用することはできない。
【０００５】
また、家庭菜園では、多数種類の種子を少量だけ蒔くという需要があるので、市販のシーダーテープでまかなうことは、種類が揃わないことが多く、また、コスト高になってしまう。
この発明は、以上の問題点を解決するために、家庭菜園のように多数種類の種子を少量だけ蒔くという需要に適し、容易にシーダーテープを製造できる装置を提供することを目的とする。
【課題を解決するための手段】
【０００６】
以上の課題を解決するために、第一発明は、土壌中で分解可能で片面に粘着面を有するテープを前記粘着面を上側にして巻出す巻出しリールと、この巻出されたテープの前記粘着面に下周面が近接しながら縦に回転し種子を供給する円筒状の回転体と、この種子が供給された後の前記テープを案内し前記粘着面の幅方向で半分に折り合わせる折合わせ具と、この折り合わせられたテープを巻き取る巻取りリールと、を備え、前記回転体は、周面に設けられた周方向へ配列された複数の同形の凹部と、これら凹部に嵌合する同形の嵌合部を有する多数のユニットと、これらユニットが構成する周面部に設けられ前記種子又は／及び固形肥料を受取り供給するための穴であって前記ユニットにより異なる数と大きさの穴と、この穴へ前記種子又は／及び前記固形肥料を補充するために前記回転体の上方に近接して設けられたホッパーと、を有することを特徴とするシーダーテープ製造装置である。
【０００７】
第二発明は、更に、前記ホッパーは、前記種子及び前記固形肥料を補充するため、前記テープの幅方向に複数の補充口を有することを特徴とするシーダーテープ製造装置である。
【発明の効果】
【０００８】
第一、又は第二発明によれば、種子によって最適な所定の間隔で所定量となるように、多数のユニットから、最適な数と大きさの穴が設けられたユニットを選択し、回転体の凹部へ所定の間隔で嵌合する。
そして、巻取りリールを回転させれば、引っ張られたテープは、巻出しリールから巻出され、上側の粘着面に、回転体からの種子が供給され、この粘着面が半分に折り合わされて巻取りリールに巻き取られる。
このようにして、最適なユニットを選択するだけで、最適な所定の間隔で所定量の種子が保持されたシーダーテープを容易に製造できるので、多数種類の種子を少量だけ蒔くという需要に適したシーダーテープ製造装置を提供できる。
第二発明によれば、更に、種子及び固形肥料を、テープの同じ箇所へ保持させることができるので、種子へ肥料を効果的に与えることができる。
【図面の簡単な説明】
【０００９】
【図１】この発明の一実施形態に係るシーダーテープ製造装置の全体図である。
【図２】図１のシーダーテープ製造装置を構成する回転体の上半分からユニットを取出した状態を示す拡大図である。
【図３】図１のシーダーテープ製造装置を構成する回転体の全体斜視図である。
【図４】図３の回転体の周面へのユニットの配列を示すために、この周面を展開して示す展開図である。
【図５】ユニットの種類を示すもので、（Ａ）〜（Ｆ）は各ユニットの平面図、（Ｇ）は代表的なユニット（Ａ）の側面図である。
【図６】（Ａ）〜（Ｆ）は、図５の各ユニット平面図（Ａ）〜（Ｆ）に対応する正面図である。
【図７】図１のシーダーテープ製造装置を構成するホッパーを示すもので、（Ａ）は正面図、（Ｂ）は（Ａ）の側面図、（Ｃ）は（Ｂ）の平面図である。
【図８】図１のシーダーテープ製造装置を構成する折合わせ具の斜視図である。
【図９】図７のホッパーの種子補充機能を示す説明図である。
【図１０】図３の回転体の種子供給機能を示す説明図である。
【発明を実施するための形態】
【００１０】
この発明の実施形態を、図１〜図１０に示す。
図１に示すように、このシーダーテープ製造装置１は、装置ベース３の上に、テープ５を巻出す巻出しリール７と、巻出されたテープ５へ種子９（図１０参照）を供給する回転体１１と、種子９が供給された後のテープ５を半分に折り合わせる折合わせ具１３と、この折り合わせられたテープ５を巻き取る巻取りリール１５と、が設けられる。
【００１１】
テープ５は、土壌中で分解可能な材料が使用され、例えば、水溶性のものが用いられる。片面に粘着面を有し、種子９や固形肥料を粘着力で保持するとともに、半分に折り合わされて、粘着力により閉じることができる。テープ５は巻出しリール７に巻かれて扱われる。
巻出しリール７は、短い円筒状で、水平な回転軸１７Ａを有して縦に回転する。そして、アイドルローラー１９を介して、テープ５を粘着面２１を上側にして、回転体１１へ巻出す。
図１、図２、図３に示すように、回転体１１は、短い円筒状で、水平な回転軸１７Ｂを有して縦に回転する。巻出しリール７から巻出されたテープ５の粘着面２１に、下周面が近接しながら縦に回転する。近接の際に、テープ５へ種子９を重力により供給する。回転体１１の近くで、回転体１１よりも高い位置に設けられたアイドルローラー１９の働きで、回転体１１の概略下半分の広い範囲で、テープ５の粘着面２１に、近接することができる。
【００１２】
回転体１１からの種子９の最適な間隔と量とを伴う供給は、ユニット２３によって調節される。すなわち、図２，図３、図４に示すように、回転体１１の周面には、周方向へ配列された１２個の同形の凹部２５が設けられる。
そして、ユニット２３は、図５、図６に示すように、全体がコの字状で、コの字の両辺部２７が、これら凹部２５に嵌合するための嵌合部２９となる。この嵌合部２９は、全てのユニット２３で同形を有する。嵌合部２９は左右の下端に嵌合爪３１を有し、抜け止される。嵌合爪３１は、嵌合した状態で、回転体１１の側面から露出しており、側面から嵌合爪３１を手で押し込むことで、容易に嵌合を外すことができる。嵌合して配列されるユニット２３は、１２個であるが、種子９の種類に応じて多数のものが準備される。
【００１３】
そして、ユニット２３は、前記コの字の中央辺部３３が、回転体１１の周面を構成する。このユニット２３が構成する周面部３５には、穴３７が設けられる。穴３７は、内部がカップ状で、種子又は／及び固形肥料９をホッパーより受取り、テープ５へ供給する。
穴３７は、ユニット２３により異なる数と大きさを有する。数は、回転体１１の周面における回転軸１７方向へ、すなわちテープ５の幅方向へ、例えば図５に示すように、０個から３個が設けられる。
穴３７を０個とすることでめくらになったユニット２３（図５（Ｆ）図６（Ｆ））は、種子９を供給しないものの、種子９が供給され保持される間隔を調整するのに大きな働きをする。めくらになったユニット２３を連続して用いれば、間隔を大きくできる。穴３７の大きさは、穴３７の開口面積と深さから定まる。種子９や固形肥料の大きさや受け取る数により設定される。
【００１４】
図１、図７、図９に示すように、回転体１１の上方には、近接してホッパー３９が設けられる。ホッパー３９は、種子９や肥料が投入し補充されるためのもので、ホッパー３９の下端の補充口４１が、回転体１１に嵌合されたユニット２３の穴３７に、近接し、位置が合致した時に、ユニット２３への補充が行なわれる。
【００１５】
補充口４１は、テープ５の幅方向に複数、図７では３個が設けられる。これらの補充口４１と、ユニット２３の穴３７が合致した時に、合致した補充口４１及び穴３７においてのみ、種子９や肥料の補充が行なわれる。
【００１６】
図８に示すように、折合わせ具１３は、種子９が供給された後のテープ５を、案内し、粘着面２１の幅方向で半分に折り合わせる。折合わせ具１３は、一枚の板材４３が上方へ向かった２枚に折曲げられた形状を有し、間にテープ５を案内する。案内入口４５の幅は、テープ５を水平状態で案内するのに十分な大きさであるが、案内方向へ進むに従って幅が狭くなる。案内方向へ進んだ各位置における縦断面で、底部４７が狭く、上方４９がより広い形状を有する。案内出口５１の幅は、もっとも狭い。これにより、テープ５は上向きに幅方向で半分に折り合わされる。
【００１７】
図１に示すように、巻取りリール１５は、短い円筒状で、水平な回転軸１７Ｃを有して縦に回転する。そして、折り合わせられたテープ５を、完成したシーダーテープとして巻き取る。
【００１８】
「実施形態の効果」
種子９や固形燃料によって使用するユニット２３を選択する。すなわち、シーダーテープを製造しようとする種子９に最適な所定の間隔で所定量の種子９となるように、図５に示す多数のユニット２３から、最適な数と大きさの穴３７が設けられたユニット２３の群を選択する。選択したユニット群を、回転体１１の凹部２５へ所定の間隔で嵌合する（図４）。
【００１９】
そして、図１において、巻取りリール１５を手動などで回転させれば、この巻取りリール１５によりテープ５は引っ張られる。引っ張られたテープ５は、巻出しリール７から巻出され、上側の粘着面２１に、回転体１１からの種子９が供給される。種子９の供給の間隔と量は、選択されたユニット群によって定まる。定まった間隔と量は、回転体１１の全周の長さを最大ピッチとして、繰り返されながら、シーダーテープが製造される。
【００２０】
種子９や固形燃料が供給されたテープ５は、図１、図８に示す折合わせ具１３によって、粘着面２１が半分に折り合わされて、巻取りリール１５に巻き取られる。
このようにして、最適なユニット２３を選択するだけで、最適な所定の間隔で所定量の種子９が保持されたシーダーテープを容易に製造できる。そして、多数種類の種子９を少量だけ蒔くという需要に適した、簡易なシーダーテープ製造装置１を提供できる。
更に、図７、図９に示すように、種子及び固形肥料を、テープ５の周方向の同じ箇所へ保持させることができるので、種子９へ肥料を効果的に与えることができる。
【００２１】
「他の実施形態」
以上の実施形態では、装置を駆動させる動力は、手動であったが、他の実施形態では、電気モーターでも良い。
以上の実施形態では、回転体１１の周方向へ１２個のユニット２３が配列されたが、他の実施形態では、１１個以下でも良いし、１３個以上でも良い。
【符号の説明】
【００２２】
１…シーダーテープ製造装置、３…装置ベース、５…テープ、７…巻出しリール、９…種子又は固形肥料、１１…回転体、１３…折合わせ具、１５…巻取りリール、１７…回転軸、１９…アイドルローラー、２１…粘着面、２３…ユニット、２５…凹部、２７…両辺部、２９…嵌合部、３１…嵌合爪、３３…中央辺部、３５…周面部、３７…穴、３９…ホッパー、４１…補充口、４３…板材、４５…案内入口、４７…底部、４９…上方、５１…案内出口。
【図１】
2012235724.tif 000003
【図２】
2012235724.tif 000004
【図３】
2012235724.tif 000005
【図４】
2012235724.tif 000006
【図５】
2012235724.tif 000007
【図６】
2012235724.tif 000008
【図７】
2012235724.tif 000009
【図８】
2012235724.tif 000010
【図９】
2012235724.tif 000011
【図１０】
2012235724.tif 000012
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
土壌中で分解可能で片面に粘着面を有するテープを前記粘着面を上側にして巻出す巻出しリールと、この巻出されたテープの前記粘着面に下周面が近接しながら縦に回転し種子又は／及び固形肥料を供給する円筒状の回転体と、この前記種子又は／及び前記固形肥料が供給された後の前記テープを案内し前記粘着面の幅方向で半分に折り合わせる折合わせ具と、この折り合わせられたテープを巻き取る巻取りリールと、を備え、前記回転体は、周面に設けられた周方向へ配列された複数の同形の凹部と、これら凹部に嵌合する同形の嵌合部を有する多数のユニットと、これらユニットが構成する周面部に設けられ前記種子又は／及び前記固形肥料を受取り供給するための穴であって前記ユニットにより異なる数と大きさの穴と、この穴へ前記種子又は／及び前記固形肥料を補充するために前記回転体の上方に近接して設けられたホッパーと、を有することを特徴とするシーダーテープ製造装置。
【請求項２】
前記ホッパーは、前記種子及び前記固形肥料を補充するため、前記テープの幅方向に複数の補充口を有することを特徴とする請求項１に記載のシーダーテープ製造装置。